(57)【要約】【課題】  公衆移動通信網と無線LAN網の混在する環境において、公衆移動通信網及び無線LAN網間のエリア移動に伴う位置登録トラフィックを軽減させる。【解決手段】  移動端末10が通信エリア間を移動したことを検出し、移動端末10が公衆移動通信網の通信エリアから無線LANの通信エリアへ移動した時点からの経過時間を測定するとともに、ユーザー管理部40への移動端末の在圏通信エリアの登録状態を管理する。そして、ユーザー管理部40への登録状態と、移動端末10の移動検出結果及び経過時間の測定結果に応じて、通信経路を選択し、選択した通信経路を通じて、ユーザー管理部40への登録又は登録情報の削除を実行させる。【選択図】図3
2006333408.tif 000002
【特許請求の範囲】
【請求項１】
第1の基地局によって形成される第1の通信エリアと、該第1の基地局とは異なる通信方式による第2の基地局によって形成される第2の通信エリアとが混在する通信環境において、前記第1及び第2の基地局と通信可能な移動端末に対する通信管理システムであって、
前記移動端末が在圏する通信エリアを登録管理するユーザー管理部と、
前記移動端末が通信エリア間を移動したことを検出する接続監視部と、
前記移動端末が前記第1の通信エリアから前記第2の通信エリアへ移動した時点からの経過時間を測定するタイマー部と、
前記ユーザー管理部への登録状態を管理し、前記接続監視部による検出結果及び前記タイマー部による測定結果に応じて、前記第1の基地局経由又は前記第2の基地局経由の通信経路を選択し、選択した通信経路を通じて、前記ユーザー管理部への登録及び登録情報の削除を実行させる登録情報管理部と
を有することを特徴とする通信管理システム。
【請求項２】
前記登録情報管理部は、前記接続監視部が、前記第1の通信エリアから前記第2の通信エリアへの移動を検出した場合に、
前記タイマー部による測定時間が所定時間内であるときには、前記第1の基地局及び第2のエリアを前記ユーザー管理部に登録させ、前記第1及び第2の基地局の両方から前記移動端末に対する着信呼び出しを実行させ、
前記タイマー部による測定時間が所定時間を経過したときには、前記第1の通信エリアの登録を削除させ、前記第2の基地局から前記移動端末に対する着信呼び出しを実行させる
ことを特徴とする請求項1に記載の通信管理システム。
【請求項３】
前記登録情報管理部は、
現在の在圏エリアに移動する前の通信エリア（以下、「移動前エリア」とする。）を記憶する機能を備えるとともに、
前記接続監視部が、前記現在の通信エリアから他の通信エリアへの移動を検出した場合に、当該移動先の通信エリアが前記移動前エリアと同一か否かを判断し、当該移動先の通信エリアと前記移動前エリアとが同一であるとき、当該移動前エリアに関する登録を維持し、当該移動前エリアの基地局から前記移動端末に対する着信呼び出しを実行させる
ことを特徴とする請求項1に記載の通信管理システム。
【請求項４】
第1の基地局によって形成される第1の通信エリアと、該第1の基地局とは異なる通信方式による第2の基地局によって形成される第2の通信エリアとが混在する通信環境において、前記第1及び第2の基地局と通信可能な移動端末であって、
前記移動端末が通信エリア間を移動したことを検出する接続監視部と、
前記移動端末が前記第1の通信エリアから前記第2の通信エリアへ移動した時点からの経過時間を測定するタイマー部と、
前記移動端末が在圏する通信エリアを登録管理するユーザー管理部への登録状態を管理し、前記接続監視部による検出結果及び前記タイマー部による測定結果に応じて、前記第1の基地局経由又は前記第2の基地局経由の通信経路を選択し、選択した通信経路を通じて、前記ユーザー管理部への登録及び登録情報の削除を実行させる登録情報管理部と
を有することを特徴とする移動端末。
【請求項５】
前記登録情報管理部は、前記接続監視部が、前記第1の通信エリアから前記第2の通信エリアへの移動を検出した場合に、
前記タイマー部による測定時間が所定時間内であるときには、前記第1の基地局及び第2のエリアを前記ユーザー管理部に登録させ、前記第1及び第2の基地局の両方から前記移動端末に対する着信呼び出しを実行させ、
前記タイマー部による測定時間が所定時間を経過したときには、前記第1の通信エリアの登録を削除させ、前記第2の基地局から前記移動端末に対する着信呼び出しを実行させる
ことを特徴とする請求項4に記載の移動端末。
【請求項６】
前記登録情報管理部は、
移動前エリアを記憶する機能を備えるとともに、
前記接続監視部が、前記現在の通信エリアから他の通信エリアへの移動を検出した場合に、当該移動先の通信エリアが前記移動前エリアと同一か否かを判断し、当該移動先の通信エリアと前記移動前エリアとが同一であるとき、当該移動前エリアに関する登録を維持し、当該移動前エリアの基地局から前記移動端末に対する着信呼び出しを実行させる
ことを特徴とする請求項4に記載の移動端末。
【請求項７】
第1の基地局によって形成される第1の通信エリアと、該第1の基地局とは異なる通信方式による第2の基地局によって形成される第2の通信エリアとが混在する通信環境において、前記第1及び第2の基地局と通信可能な移動端末による通信を管理する方法であって、
前記移動端末が通信エリア間を移動したことを検出するステップ(1)と、
前記移動端末が前記第1の通信エリアから前記第2の通信エリアへ移動した時点からの経過時間を測定するステップ(2)と、
前記移動端末が在圏する通信エリアを登録管理するユーザー管理部への登録状態を管理し、前記ステップ(1)による検出結果及び前記ステップ(2)による測定結果に応じて、前記第1の基地局経由又は前記第2の基地局経由の通信経路を選択し、選択した通信経路を通じて、前記ユーザー管理部への登録又は登録情報の削除を実行させるステップ(3)と
を有することを特徴とする通信管理方法。
【請求項８】
前記ステップ(3)では、前記ステップ(1)において、前記第1の通信エリアから前記第2の通信エリアへの移動が検出された場合に、
前記ステップ(2)による測定時間が所定時間内であるときには、前記第1の基地局及び第2のエリアを前記ユーザー管理部に登録させ、前記第1及び第2の基地局の両方から前記移動端末に対する着信呼び出しを実行させ、
前記ステップ(2)による測定時間が所定時間を経過したときには、前記第1の通信エリアの登録を削除させ、前記第2の基地局から前記移動端末に対する着信呼び出しを実行させる
ことを特徴とする請求項7に記載の通信管理方法。
【請求項９】
前記ステップ(1)では、移動前エリアを記憶し、
前記ステップ(3)では、前記ステップ(1)において、前記現在の通信エリアから他の通信エリアへの移動を検出した場合に、当該移動先の通信エリアが前記移動前エリアと同一か否かを判断し、当該移動先の通信エリアと前記移動前エリアとが同一であるとき、当該移動前エリアに関する登録を維持し、当該移動前エリアの基地局から前記移動端末に対する着信呼び出しを実行させる
ことを特徴とする請求項7に記載の通信管理方法。
【発明の詳細な説明】
【技術分野】
【０００１】
本発明は、公衆移動通信網と無線LAN網が混在する環境における通信管理システム、移動端末及び通信管理方法に関する。
【背景技術】
【０００２】
近年、情報端末のモバイル化に伴って無線通信の方式が多様化し、公衆移動通信網の他、IEEE802．11bに準拠した無線LANなどが屋外でも利用できるようになり、これらの異なる通信方式のネットワークが混在する環境が形成されつつある。無線LANは、帯域が大きいのに対して、基地局がカバーするエリアは小さく、一方、公衆移動通信網は、基地局がカバーするエリアが大きいのに対して、帯域が小さい。このようなことから、無線LANに対応する無線インターフェースと、公衆移動通信網に対応する無線インターフェースとの双方を備えたデュアルモード端末装置を移動端末として使用することにより、それぞれの網の特徴を使い分けて効率のよい通信を行うことが可能となっている。
【０００３】
ところが、無線LAN網と公衆移動通信網の両エリアで使用できる移動端末は存在するが、無線LANと公衆移動通信網とは別々の網であるから、通信を確立させるための基地局やユーザー管理装置はそれぞれ異なることとなり、それぞれの別々のシステム構成となっている。移動端末が任意の網を選択してそれぞれのシステムに位置登録を実施する必要がある。
【０００４】
このような問題を解決する技術として、例えば特許文献1に開示されたものがある。この技術では、移動通信端末において、異なるネットワークの基地局のいずれかと通信可能となった場合に、移動通信端末が持つ第1の識別情報、通信可能になった基地局が持つ第2の識別情報、及び通信可能となった基地局を介して移動通信端末が通信するための第3の識別情報を含む通信端末情報を作成し、これらの通信端末情報を、ネットワーク上の情報提供局へ送信する。情報提供局では、上記通信端末情報が受信され、この通信端末情報に含まれた第1の識別情報及び第2の識別情報の組み合わせ毎に、第1の識別情報を含んだ第4の識別情報を生成し、通信端末情報に含まれた第3の識別情報がこの第4の識別情報と対応付けて記憶される。
【０００５】
従って、この技術では、情報提供局において、1つの移動通信端末に備えられた複数の通信手段のそれぞれに対応付けて第3の識別情報が個別に管理されることになる。この結果、情報提供局においては、複数の基地局のそれぞれを介して通信するために1つの移動通信端末に割り当てられた複数の第3の識別情報が個別に管理されることとなる。
【０００６】
この結果、上記特許文献1に開示された技術によれば、デュアルモードの無線端末装置が各モードで利用できる第3の識別情報を情報提供局にて個別に管理できるので、この情報提供局にて管理された第3の識別情報を利用することで、移動通信端末としてデュアルモードの無線端末装置を用いた場合に、異なる網を柔軟に使い分けて通信することが可能となる。
【特許文献１】特開2004-297490号公報
【発明の開示】
【発明が解決しようとする課題】
【０００７】
しかしながら、今後、無線LANエリアが増加する傾向にあり、これに伴い、無線LANエリアと公衆移動通信エリアの混在エリアが増大しつつある。従って、無線LANエリアと公衆移動通信網エリア間の移動頻度が増加することが予想される。
【０００８】
ところが、上述した特許文献1に開示された技術のように、移動端末が、公衆移動通信網と無線LANとの間で移動するたびに頻繁に位置登録を行うとすると、システム側の位置登録トラフィックが増加する惧れがある。例えば、朝の通勤ラッシュ時など多数の利用者が通過する場所及び時間帯において、公衆移動通信網・無線LAN間でエリアを跨る毎に位置登録を実施すると、位置登録トラフィックが膨大な量になり、通信インフラ及び管理サーバに対する負荷が過大となる。
【０００９】
そこで、本発明は以上の点に鑑みてなされたもので、公衆移動通信網と無線LAN網が混在する環境において、公衆移動通信網と無線LAN網の間を移動する移動端末からの位置登録トラフィックを軽減し、ネットワークへの負荷を軽減することのできる通信管理システム、移動端末及び通信管理方法を提供することをその課題とする。
【課題を解決するための手段】
【００１０】
上記課題を解決するために、本発明は、第1の基地局によって形成される第1の通信エリアと、第1の基地局とは異なる通信方式による第2の基地局によって形成される第2の通信エリアとが混在する通信環境において、前記第1及び第2の基地局と通信可能な移動端末に対する通信管理システムであって、移動端末が在圏する通信エリアを登録管理するユーザー管理部と、移動端末が通信エリア間を移動したことを検出する接続監視部と、移動端末が第1の通信エリアから第2の通信エリアへ移動した時点からの経過時間を測定するタイマー部と、ユーザー管理部への登録状態を管理し、接続監視部による検出結果及びタイマー部による測定結果に応じて、第1の基地局経由又は第2の基地局経由の通信経路を選択し、選択した通信経路を通じて、ユーザー管理部への登録及び登録情報の削除を実行させる登録情報管理部とを有する。
【００１１】
このような本発明では、先ず、移動端末が通信エリア間を移動したことを検出し、移動端末が第1の通信エリアから第2の通信エリアへ移動した時点からの経過時間を測定するとともに、ユーザー管理部への移動端末の在圏通信エリアの登録状態を管理する。そして、ユーザー管理部への登録状態と、移動端末の移動検出結果及び経過時間の測定結果に応じて、第1の基地局経由又は前記第2の基地局経由の通信経路を選択し、選択した通信経路を通じて、ユーザー管理部への登録又は登録情報の削除を実行させる。
【００１２】
このような本発明によれば、例えば、公衆移動通信網などの第1の通信エリアと、無線LANなどの第2の通信エリアというように、異なる通信方式の通信エリアが混在する通信環境において、移動端末の各エリアにおける在圏状況をユーザー管理部で一元的に管理することができ、また、その登録、及び登録情報の削除を、タイマー部により時間的に保留させたり、登録情報管理部により通信経路を適宜選択することによって、位置登録のための通信トラフィックを分散させることができる。
【００１３】
上記発明において、登録情報管理部は、接続監視部が、第1の通信エリアから第2の通信エリアへの移動を検出した場合に、タイマー部による測定時間が所定時間内であるときには、第1の基地局及び第2のエリアをユーザー管理部に登録させ、第1及び第2の基地局の両方から移動端末に対する着信呼び出しを実行させ、タイマー部による測定時間が所定時間を経過したときには、第1の通信エリアの登録を削除させ、第2の基地局から移動端末に対する着信呼び出しを実行させることが好ましい。
【００１４】
この場合には、例えば、第1の通信エリアである公衆移動通信網から、第2の通信エリアである無線LANに進入した場合、所定の時間にあっては第1及び第2の基地局から着信呼び出しをする、いわゆる「デュアル呼出実施状態」とし、第1の通信エリアに関する位置登録状態が直ちに削除されないようにする。さらに、時間が経過し、長時間無線LANエリアに滞在するときに、公衆移動通信網に関する位置登録情報の削除を行う。このように、公衆移動通信網のように通信可能範囲が比較的広い通信エリアを第1の通信エリアとし、無線LANのように通信可能範囲が比較的狭い通信エリアを第2の通信エリアとすることによって、第2の通信エリアを通過するなど、一時的に第2の通信エリアに在圏するようなときに、第1の通信エリアに対する位置登録の更新（変更や削除）が頻発するのを回避することができる。
【００１５】
上記発明において、登録情報管理部は、現在の在圏エリアに移動する前の通信エリア（以下、「移動前エリア」とする。）を記憶する機能を備えるとともに、接続監視部が、前記現在の通信エリアから他の通信エリアへの移動を検出した場合に、当該移動先の通信エリアが前記移動前エリアと同一か否かを判断し、当該移動先の通信エリアと前記移動前エリアとが同一であるとき、当該移動前エリアに関する登録を維持し、当該移動前エリアの基地局から前記移動端末に対する着信呼び出しを実行させる。
【００１６】
なお、ここで、「エリアが同一」とは、通信方式が同一であることのみならず、例えば、同一の通信方式のエリア内においてセルやセクタが設定されている場合には、これらセルやセクタも同一であることを指す。すなわち、通常の移動通信において位置登録更新が発生するエリア同士は、本発明でいう同一のエリアには含まれない。
【００１７】
この場合には、例えば、第1の通信エリア（移動前エリア）から第2の通信エリア（現在の在圏エリア）に進入し、さらに第1の通信エリア（移動先エリア）に移動したような場合に、移動前エリアと移動先エリアとの同一性を比較し、同一であるとき、すなわち元いた第1の通信エリアに戻っているときであって、未だ移動前エリアの位置登録が継続しているときには、第1の通信エリアに対する位置登録の更新を実行しないようにすることができ、位置登録のためのトラフィックを軽減することができる。
【００１８】
なお、上記ユーザー管理部は通信網側に設置されるが、上記接続監視部やタイマー部、登録情報管理部は、移動端末側に備えられる。
【発明の効果】
【００１９】
以上説明したように本発明によれば、公衆移動通信網と無線LAN網等のように、異なる通信方式による第1及び第2の通信エリアが混在する環境において、第1の通信エリアと第2の通信エリア間の移動に伴う位置登録トラフィックを軽減することができる。
【発明を実施するための最良の形態】
【００２０】
（通信管理システムの構成）
本発明の実施形態について、図面を参照しつつ説明する。本実施形態では、本発明の通信管理システムを図1及び図2に示すような通信環境の通信システムの下で利用した場合を例に説明する。図1及び図2は、本実施形態に係る通信システムを模式的に示す説明図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００２１】
本実施形態では、図1に示すように、第1の基地局である公衆移動通信網の基地局NodeB1及びNodeB2などによって形成される通信エリア（Location Area）LA1及びLA2（第1の通信エリア）と、第1の基地局とは異なる通信方式、すなわち、IEEE802．11bに準拠した無線LAN方式による第2の基地局（Access Point）であるAPB1及びAPB2によって形成される無線LANの通信エリアAP1やAP2（Access Point Area：第2の通信エリア）とが混在する通信環境となっている。そして、本実施形態では、この通信環境において、前記第1及び第2の基地局NodeB1，NodeB2，APB1及びAPB2と通信可能な移動端末10により通信を行う。
【００２２】
図2に示すように、本実施形態に係る通信管理システムは、移動端末が在圏する通信エリアを登録管理するサーバ装置としてユーザー管理部（HLR/HSS）40が、コアネットワーク20上に設置されている。コアネットワーク20は、公衆移動通信網とIP網とが相互に結合されて形成された通信ネットワークである。
【００２３】
ユーザー管理部40は、加入者管理データベース（HLR/HSS）41を備えており、この加入者管理データベース41に移動端末10の第1及び第2の通信エリアに対する在圏位置をリアルタイムで登録し、いずれの通信エリアを経由した通信経路により通信を確立させるかを一元的に管理する。また、ユーザー管理部40は、加入者管理データベース41を用いて公衆移動通信網の交換接続機能を提供するとともに、IP電話の接続サービスを行うSIPサーバとしての機能も果たしている。
【００２４】
このユーザー管理部40は、公衆移動通信網を構成する無線基地局制御局RNC21や基地局NodeB1，2と接続されているとともに、IP網を構成するゲートウェイ（WAG：無線アクセスゲートウェイ、PDG：パケットデータゲートウェイ）31やアクセスポイント基地局APB1,2と接続されている。
【００２５】
そして、ユーザー管理部40は、各基地局からの位置登録や登録削除の要求を受け付け、この要求に応じて加入者管理データベース41を更新し、いずれの基地局を経由した通信経路を確立するかを決定し、この決定に応じた基地局に対し着信呼び出し等の処理を実行させる。
【００２６】
（移動端末の構成）
上述した移動端末10の内部構成について説明する。図3は、移動端末10の内部構成を示すブロック図である。
【００２７】
同図に示すように、移動端末10は、公衆移動通信網と無線LANとの両方と通信が可能な通信端末であり、公衆移動通信基地局NodeBと無線通信するためのインターフェースである公衆移動通信部11と、無線LAN基地局APBと無線通信するためのインターフェースである無線LAN通信部12とを備えている。
【００２８】
また、移動端末10は、上記通信部11及び12を選択して、任意の基地局を経由した通信経路を確立させる通信網選択部14を有している。この通信網選択部14には登録情報管理部18が接続されており、この登録情報管理部18による制御に従って、公衆移動通信部11又は無線LAN通信部12を選択する。さらに通信網選択部14には、通話を行うためのインターフェースである通話部15a及びデータの送受信を行うためのインターフェースであるデータ通信部15bが接続されており、これら通話部15a及びデータ通信部15bを登録情報管理部18による制御に従って、選択的に、公衆移動通信部11又は無線LAN通信部12に接続する。
【００２９】
登録情報管理部18は、当該移動端末10の登録状態を管理するモジュールであり、当該移動端末10の在圏エリアや、エリアにおける滞在時間に基づいて、確立すべき通信経路を決定し、通信網選択部14に通信インターフェースの選択を実行させる。
【００３０】
この登録情報管理部18には、エリア通知部13が接続されている。このエリア通知部13は、登録情報管理部18の制御に基づいて、ユーザー管理部40に対して、現在の在圏エリアの通知（位置登録の要求）や、位置登録の削除の要求を、通信網選択部14が選択した通信インターフェースを介して、送信するモジュールである。登録情報管理部18は、いずれの通知や要求を、いつ、どの通信経路を通じて、実行するかを決定し、エリア通知部13に対して制御を行う。
【００３１】
また、登録情報管理部18には、タイマー部16及び接続監視部17が接続されており、これらタイマー部16及び接続監視部17による測定結果、及び検出結果に基づいて、上記通信経路の決定等を行う。
【００３２】
タイマー部16は、移動端末10が第1の通信エリアから第2の通信エリアへ移動した時点からの経過時間を測定するモジュールである。また、接続監視部17は、移動端末10と各基地局との間における通信状態監視し、在圏エリアや通信エリア間の移動を検出するモジュールである。接続監視部17は、各基地局からの受信強度を測定し、最寄りの基地局を特定し、在圏位置を取得する機能も備えている。
【００３３】
そして、登録情報管理部18は、移動端末10が、公衆移動通信網から無線LANへの移動を検出した場合に、タイマー部16による測定時間が所定時間内であるときには、公衆移動通信網及び無線LANの両エリアをユーザー管理部40に登録させ、公衆移動通信網及び無線LANの両方の基地局から着信呼び出しを行う「デュアル呼出実施状態」を実行させる機能を備えている。また、登録情報管理部18は、この「デュアル呼出実施状態」において、タイマー部16による測定時間が所定時間を経過したときには、公衆移動通信網の登録を削除させ、無線LANのみから、着信呼び出しを実行させる機能も備えている。
【００３４】
さらに、登録情報管理部18は、メモリ18aを備えており、当該移動端末10の移動履歴や、ユーザー管理部40への登録状態、登録内容の更新履歴を記憶する機能も有している。そして、登録情報管理部18は、移動前エリアの情報[UE(LA)]と、移動先エリアの情報[BCCH(LA)]の比較チェックを行い、位置登録実施有無を決める。すなわち、図2に例示するように接続監視部17が、現在の通信エリア（図2中P2）から他の通信エリア（図2中P3）への移動を検出した場合に、当該移動先の通信エリアP3が、移動前エリア（図2中P1）と同一か否かを判断し、当該移動先の通信エリアP3と移動前エリアP1とが同一であるとき、移動前エリアのみをユーザー管理部に登録し、移動前エリア第1の基地局から移動端末に対する着信呼び出しを実行させる。
【００３５】
具体的には、図2に示すように、移動前エリアP1が公衆移動通信網のエリアLA2であり、このLA2から無線LANのエリアAP1に進入し、さらに元いた公衆移動通信網の通信エリアLA2に移動したような場合に、移動前エリアP1（LA2）と移動先エリアP3（LA2）とは同一であるため、未だ移動前エリアの位置登録が継続しているときには、公衆移動通信網に対する位置登録の更新を実行しないようにする。
【００３６】
なお、ここで、「エリアが同一」とは、通信方式が同一であることのみならず、通常の移動通信において生じる位置登録更新が発生しないエリア同士をいい、同一の通信方式のエリア内においてセルやセクタが設定されている場合には、これらセルやセクタも同一であることを指す。従って、上述した例において、移動先エリアP3が図2中のLA1であるときには、移動前エリア（LA2）と移動先エリア（LA1）との間では、通常の位置登録更新が発生するため、同一のエリアには含まれない。
【００３７】
（通信管理方法）
以上の構成を有する通信管理システムを動作させることによって、本発明の通信管理方法を実施することができる。図4は、本実施形態に係る通信管理システムの動作を示すフローチャート図である。
【００３８】
同図に示すように、先ず接続監視部17により周期的に当該移動端末10の在圏位置を確認し、エリア間の移動が発生していないかを判断する（S101）。エリア間の移動がなければ（ステップS101における”N”）、ループ処理により待機状態が維持される。なお、この初期状態にあっては、既に公衆移動通信網への登録（CS-Registration）は済んでいるものとする。
【００３９】
ステップS101において、公衆移動通信網から無線LANへの移動が検出されたときには、エリア通知部13を通じて無線LANのエリアにおける位置登録（SIP‐Registration）を実行する（S102）。これにより、公衆移動通信網と無線LANとの両方から着信呼び出しをする「デュアル呼出実施状態」なり（S103）、公衆移動通信網と無線LANとの両方から着信呼び出しがなされることとなる。なお、この「デュアル呼出実施状態」の間、移動端末10では、公衆移動通信網側からの着信は無視し、無線LANからの呼び出しに対してのみ待ち受け状態となる（S104）。
【００４０】
そして、この「デュアル呼出実施状態」の間も接続監視部17による在圏位置の確認（無線LAN網でのKeep Alive消失の監視）は継続的に実行され（S105）、無線LAN網への接続が維持されている間（ステップS105における”N”）、所定時間の計測が継続される（ステップS106における”N”）。そして、一定時間以上、無線LANの通信エリアに滞在したときには（ステップS106における”Y”）、登録情報管理部18は、公衆移動通信網に関する位置登録情報の削除を行うべく、その旨の要求をエリア通知部13に実行させる（S107）。これに応じて、ユーザー管理部40では、移動端末10に関する公衆移動通信網への登録を削除し、無線LANエリアでの登録のみとし（S108）、その後は、無線LANのみを通じて着信呼び出しを実行する（S109）。
【００４１】
一方、ステップS101において、無線LAN網から公衆移動通信網へ移動したと判断した場合、又は、「デュアル呼出実施状態」に無線LANに対するKeep Aliveが消失された場合（ステップS105における”Y”）、登録情報管理部18は、移動前エリアの情報[UE(LA)]と、移動先エリアの情報[BCCH(LA)]の比較チェックを行い、位置登録実施有無を決める（S110）。すなわち、ステップS110において、移動前エリアの情報[UE(LA)]と、移動先エリアの情報[BCCH(LA)]とが同一であると判断した場合（ステップS110における”Y”）には、未だ移動前エリアの位置登録（ここでは、公衆移動通信網の通信エリアに関する登録）が継続しているか否かを判断する（S111）。なお、ステップS110での移動前エリアの情報[UE(LA)]と移動先エリアの情報[BCCH(LA)]との比較において、「エリアが同一」とは、通信方式が同一であることのみならず、セルやセクタが同一であることを指す。
【００４２】
ステップS110において、移動前エリアの情報[UE(LA)]と、移動先エリアの情報[BCCH(LA)]とが同一でないと判断した場合（ステップS110における”N”）、又はステップS111において、公衆移動通信網の通信エリアに関する登録が継続していないと判断した場合（ステップS111における”N”）には、公衆移動通信網への登録（CS-Registration）を行う（S112）。
【００４３】
ステップS112に続いて、又は、ステップS111において、公衆移動通信網への登録が継続していると判断されたとき（ステップS111における”Y”）、ユーザ管理部においてKeep Alive自然消失検知後、公衆移動通信網に対する位置登録のみにより、着信処理を行う（S113）。
【００４４】
以上の通信管理システムの動作について、移動端末10の移動形態毎に具体的に説明する。図5は、移動端末の移動形態を示す状態遷移図である。
【００４５】
同図に示すように、移動端末10の在圏形態としては、公衆移動通信網（図中「3G」）のみに在圏（状態(1)）、無線LANのみに在圏（状態(2)）、公衆移動通信網と無線LANとの両方に在圏（状態(3)）、及びいずれにも在圏しない圏外状態（状態(4)）とがあり、これらの各状態からの遷移により、ユーザー管理部40における位置登録の内容が更新される。
【００４６】
1．状態(1)と状態(3)での移動（短時間で通過）
例えば、公衆移動通信網のみに在圏中に電源を入れた後、公衆移動通信網の通信エリア内に含まれる無線LANエリアを短時間で通過し、再度、元の公衆移動通信網の通信エリアに戻るような場合には、図6に示すシーケンスとなる。
【００４７】
すなわち、公衆移動通信網の通信エリアで移動端末10の電源を入れると（S201 ）、先ず、公衆移動通信網への位置登録が実行される（S202）。その後、移動端末10が移動し、無線LANの通信エリアに進入し、公衆移動通信網と無線LANとの両方のエリアに在圏したものとする。これにより、無線LANの通信エリアの登録が実行され（S203）、公衆移動通信網と無線LANとの両方から着信呼び出しをする「デュアル呼出実施状態」なり（S206）、公衆移動通信網と無線LANとの両方から着信呼び出しがなされることとなる（S205）。なお、この「デュアル呼出実施状態」の間、移動端末10では、公衆移動通信網側からの着信は無視し、無線LANからの呼び出しに対してのみ待ち受け状態となる（S204）。
【００４８】
そして、移動端末10が無線LANの通信エリアを短時間で通過したものとする。これにより、無線LANに対する”Keep Alive”が消失されることとなり、登録情報管理部18は、移動前エリアの情報[UE(LA)]と、移動先エリアの情報[BCCH(LA)]の比較チェックを行い、位置登録実施有無を決める。ここでは、元の公衆移動通信網の通信エリアに戻ってきているため、移動前エリアの情報[UE(LA)]と、移動先エリアの情報[BCCH(LA)]とが同一であると判断され、且つ「デュアル呼出実施状態」であるため、公衆移動通信網への登録は継続していることとなる。従って、公衆移動通信網の通信エリアの位置登録は実行されない（S207）。
【００４９】
このステップS207以降、移動端末10側では、公衆移動通信網に対する待ち受けのみを実行する（S208）。ネットワーク側では、”Keep Alive”消失が確認されるまで、「デュアル呼出実施状態」が維持され、”Keep Alive”消失が確認され次第、公衆移動通信網のみの着信に切り替えられる（S210）。なお、公衆移動通信網の通信エリアの位置登録は、その後も周期的に行われる（S209）。
【００５０】
また、”Keep Alive”消失の確認について、移動端末10側とネットワーク側とでタイムラグが生じる場合もあり得るが、ネットワーク側で”Keep Alive”消失が確認されない限り、「デュアル呼出実施状態」となっているため、移動端末10では両方の基地局から着信呼び出しがあり、いずれかの通信網からの着信を確実に受けることができる。
【００５１】
2．状態(1)と状態(3)での移動（無線LANエリアに長時間滞在）
例えば、公衆移動通信網のみに在圏中に電源を入れた後、公衆移動通信網の通信エリア内に含まれる無線LANエリアに長時間滞在し、再度、元の公衆移動通信網の通信エリアに戻るような場合には、図7に示すシーケンスとなる。
【００５２】
先ず、公衆移動通信網の通信エリアで移動端末10の電源を入れると（S301 ）、公衆移動通信網への位置登録が実行される（S302）。その後、移動端末10が移動し、無線LANの通信エリアに進入し、公衆移動通信網と無線LANとの両方のエリアに在圏したものとする。これにより、無線LANの通信エリアの登録が実行され（S303）、公衆移動通信網と無線LANとの両方から着信呼び出しをする「デュアル呼出実施状態」なり（S306）、公衆移動通信網と無線LANとの両方から着信呼び出しがなされることとなる（S305）。なお、この「デュアル呼出実施状態」の間、移動端末10では、公衆移動通信網側からの着信は無視し、無線LANからの呼び出しに対してのみ待ち受け状態となる（S304）。
【００５３】
そして、移動端末10が無線LANの通信エリアで長時間滞在したものとする。これにより、公衆移動通信網の通信エリアに対する登録が削除され（S307）、無線LAN内に滞在中は、ネットワーク側からも、無線LANからの着信処理のみがなされることとなる（S310）。
【００５４】
その後、移動端末10が無線LANの通信エリアから出て、公衆移動通信網の通信エリアに戻ってきたものとする。これにより、無線LANに対する”Keep Alive”が消失されることとなり、登録情報管理部18は、移動前エリアの情報[UE(LA)]と、移動先エリアの情報[BCCH(LA)]の比較チェックを行い、位置登録実施有無を決める。ここでは、元の公衆移動通信網の通信エリアに戻ってきているため、移動前エリアの情報[UE(LA)]と、移動先エリアの情報[BCCH(LA)]とが同一であると判断されるが、既に、公衆移動通信網の通信エリアに対する登録が削除されているため、公衆移動通信網の通信エリアの位置登録を実行する（S309）。
【００５５】
このステップS309以降、移動端末10側では、公衆移動通信網に対する待ち受けのみを実行する（S308）。ネットワーク側では、ステップS309による登録要求がなされているため、”Keep Alive”消失が確認されるまで、「デュアル呼出実施状態」が維持され（S312）、”Keep Alive”消失が確認され次第、公衆移動通信網のみの着信に切り替えられる（S313）。なお、公衆移動通信網の通信エリアの位置登録は、その後も周期的に行われる（S311）。
【００５６】
3．状態(2)と状態(3)での移動
無線LANのみに在圏中に電源を入れた後、公衆移動通信網を通過して、再度、無線LANの通信エリアに進入するような場合には、図8に示すシーケンスとなる。
【００５７】
先ず、無線LANの通信エリアで移動端末10の電源を入れると（S401 ）、無線LANへの位置登録が実行される（S402）。その後、移動端末10が移動し、公衆移動通信網の通信エリアに進入するまで、無線LANのみで待ち受けがなされる。
【００５８】
その後、公衆移動通信網に進入し、公衆移動通信網の通信エリアに在圏したものとする。これにより、公衆移動通信網の通信エリアの登録が実行され（S403）、その後は、公衆移動通信網のみから着信呼び出しがなされることとなる（S404及びS406）。なお、公衆移動通信網の通信エリアに在圏中、公衆移動通信網の通信エリアの位置登録は、周期的に行われる（S405）。
【００５９】
次いで、移動端末10が無線LANの通信エリアに再度進入し、公衆移動通信網と無線LANとの両方のエリアに在圏したものとする。これにより、無線LANの通信エリアの登録が実行され（S407）、公衆移動通信網と無線LANとの両方から着信呼び出しをする「デュアル呼出実施状態」なり（S409）、公衆移動通信網と無線LANとの両方から着信呼び出しがなされることとなる。なお、この「デュアル呼出実施状態」の間、移動端末10では、公衆移動通信網側からの着信は無視し、無線LANからの呼び出しに対してのみ待ち受け状態となる（S408）。
【００６０】
そして、移動端末10の無線LANの通信エリアにおける滞在時間に応じて、公衆移動通信網の通信エリアに対する登録が削除され（S410）、無線LAN内に滞在中は、ネットワーク側からも、無線LANからの着信処理のみがなされることとなる。
【００６１】
（本実施形態による作用・効果）
このような本実施形態によれば、公衆移動通信網の通信エリアと、無線LANの通信エリアというように、異なる通信方式の通信エリアが混在する通信環境において、移動端末の各エリアにおける在圏状況をユーザー管理部40で一元的に管理することができ、また、その登録、及び登録情報の削除を、タイマー部16により時間的に保留させたり、登録情報管理部18により通信経路を適宜選択することによって、位置登録のための通信トラフィックを分散させることができる。
【００６２】
また、本実施形態では、公衆移動通信網から無線LANを通過するなど、無線LANでの滞在時間が短時間である場合、「デュアル呼出実施状態」とし、公衆移動通信網に関する位置登録状態が直ちに削除されないようにする一方、長時間無線LANエリアに滞在する場合には、公衆移動通信網に関する位置登録情報の削除を行う。このように、公衆移動通信網のように通信可能範囲が比較的広い通信エリア内に、無線LANのホットスポットのように通信可能範囲が比較的狭い通信エリアが混在する環境において、ホットスポットを短時間で通過するようなときに、第1の通信エリアに対する位置登録の更新（変更や削除）が頻発するのを回避することができる。
【００６３】
また、本実施形態では、移動前エリアと移動先エリアとの同一性を比較し、同一であるとき、すなわち元いた通信エリアに戻っているときであって、未だ移動前エリアの位置登録が継続しているときには、移動先の通信エリアに対する位置登録の更新を実行しないようにするため、位置登録のためのトラフィックを軽減することができる。
【図面の簡単な説明】
【００６４】
【図１】実施形態に係る通信システムを模式的に示す説明図である。
【図２】実施形態に係る通信システムを模式的に示す説明図である。
【図３】実施形態に係る移動端末10の内部構成を示すブロック図である。
【図４】実施形態に係る通信管理システムの動作を示すフローチャート図である。
【図５】実施形態に係る移動端末の移動形態を示す状態遷移図である。
【図６】実施形態における移動端末の移動態様（状態(1)と状態(3)での移動（短時間で通過））でのシーケンス図である。
【図７】実施形態における移動端末の移動態様（状態(1)と状態(3)での移動（無線LANエリアに長時間滞在））でのシーケンス図である。
【図８】実施形態における移動端末の移動態様（状態(2)と状態(3)での移動（無線LANエリアに長時間滞在））でのシーケンス図である。
【符号の説明】
【００６５】
AP1，2…無線LAN通信エリア
APB1，2…無線LAN基地局
LA1，2…公衆移動通信網通信エリア
NodeB1，2…公衆移動通信基地局
P1…移動前エリア
P2…現在の在圏エリア
P3…移動先エリア
10…移動端末
11…公衆移動通信部
12…無線LAN通信部
13…エリア通知部
14…通信網選択部
15a…通話部
15b…データ通信部
16…タイマー部
17…接続監視部
18a…メモリ
18…登録情報管理部
20…コアネットワーク
21…RNC（無線基地局制御局）
31…WAG/PDG（ゲートウェイ）
40…ユーザー管理部
41…HLR/HSS（加入者管理データベース）
【図１】
2006333408.tif 000003
【図２】
2006333408.tif 000004
【図４】
2006333408.tif 000005
【図５】
2006333408.tif 000006
【図６】
2006333408.tif 000007
【図７】
2006333408.tif 000008
【図８】
2006333408.tif 000009
【図３】
2006333408.tif 000010